Podtech/llm-jp-corpus-v4-ja_patent huggingface dataset:
(57)【要約】      （修正有）【課題】日本は今後高齢化時代に突入致します。介護介助に当たる要員も不足となる大変なパニツクになることは間違いありません。それらの病院の現状を観てみると一人の患者に対して複数の介助者がベツトから移動移乗させている。この状況を観て何とか一人の介助者で患者を楽に移動移乗させる事が出来ないかの課題を試行錯誤した結果，今回の移動移乗リフトを考案した。【解決手段】まず，これまでの介護機器は高価で一般貧者にはて中々手が届かないのが現状であつた。その高価に対しても安価で利用価値，使用価値も患者が大いに期待出来る事により，これまでの高価な吊移動機器及び入浴用吊リフテイング等高価な機器によりもつと庶民的な機器を望んでいた事に対して，今回の安価で一人でも対応出来る機器の考案により，介助者も患者にも待望の機器の考案によりこれまでの問題の解決手段となつた。【選択図】図１
2020130991.tif 000002
【特許請求の範囲】
【請求項１】
今回，介護介助移動移乗用リフトの取替クツションの考案をした。日本は今後介護の時代が進み介護サ―ビス事業が大変な時代になつて参ります。自宅介護ても時代によらず身内の介助に当たる方々のご苦労は大変である。その介護介助に当たる方々のご苦労に対し，今回，介護介助する機器を考案した。これまで介護介助に当たる方々の一番のご苦労はベツトから車椅子移乗，トイレ移送，台車移乗等々は複数の人手が掛つていたが今回考案の介助リフトにより楽に使用出来る様にした。高価な機器に対して安価で介助をこなせる今回の介助機器の利便性を図面において明示した。
【発明の詳細な説明】
【技術分野】
【０００１】次世代に於いて日本は高齢化時代に入り益々介護介助要員不足の時代が参ります。これ迄患者をベツトから移動移乗させる為には複数の人手が掛かり一人では中々労力負担が掛かつていた。今回，今後の福祉機器の進化のため介護介助者の為のリフトの考案をした。
【背景技術】
【０００２】従来，患者を別の車椅子又はトイレ及び台車等に移動移乗させる場合，一人では中々労力負担が掛かり大変困難であつた。
【先行技術文献】
【特許文献】
【００３】
【特許文献１】
【発明の概要】
【発明が解決しようとする課題】
【０００４】従来，患者をベツトから別の車椅子及びトイレ又は台車等に移動移乗させる事は一人では中々労力がいつた。今後の介護介助要員不足に伴い少しでも労力を軽減出来るための課題解決法を考案した
【課題を解決するための手段】
【０００５】今回，可能なる解決手段として，これまでベツトから車椅子又はトイレ及び台車等に移乗させる場合，複数の手が掛る事が多かつた。この課題を解決する手段を見出した。その手段は介護介助者に出来るだけ労力を使わない今回考案のリフトで取替クツションの使用にり介護介助要員の労力負荷を軽減する為の解決手段をみい出した。
【発明の効果】
【０００６】今回考案の効果は，介護介助者が如何に労力を使わず患者を楽に移動移乗させる事が出来るかを勘案した。その結果，これまで車椅子に移乗，又はトイレの排泄させる体制にもつていくにしてもこまでの病院や介護施設での福祉機器用具等での使用法ではまだまだ患者の満足なニ―ズには応えられてはいない。今回はこれを打開するため座るクツション位置に今回考案した取替クツションを上乗せし仕掛け孔にリフトのつめ先を差し込み患者を座らせたままリフトを後退させ１８０度回転すれば車椅子の正面に向き合い移乗できる。トイレの要領も同じく容易に一人で出来る。又，ベツト上の寝た患者もこのリフトで掬い移動移乗出来る多機能的効果のあるリフトである。そして介護機器は一般貧困者においては高価で購買力のない市民には高値の花である。これらの事から勘案すれば今回のリフトの使用価値の効果は大である。
【図面の簡単な説明】
【０００７】
【図１】はベツトに寝た患者を移動移乗させる場合，これまで複数の人の手が掛つていたのを今回考案したマツトの底の孔にリフトのつめ先を差し込み乗せた患者を掬い上げてリフトを抜けば移動場所へ移送する事が出来る効果機器である。
【図２】は可成り起き上がりの出来る患者に対しての介護介助使用法である。まず，患者にベツト端に座らせる前に，今回考案のクツション上に座らせクツション下の差し込み孔にリフトのつめ先を差し込み持ち上げリフトを後退させれば完了である。車椅子に移乗させるには１８０度回転させれば完了である。又，トイレ便器に座らせる場合も要領は同じでもクツシヨンの型が違うだけであつてクツション孔につめ先を差し込んで後退すれば全く同じ方法でもつて完了する事が出来る。
【図３】図２に付随するのであるが，今回，リフトから車椅子，及びトイレ便器に移乗させる事はは中々労力のいるものであつたが，そこで今回考案の取替クツションにより一人でも楽に移乗させる事のできる用具である。（取替クツションには車椅子用とトイレ便器用の２種類がある）  （イ図）は車椅子用クツション図である。クツションの底に取り付けたリフト用の両孔にリフトつめ先を差し込み患者を乗せ移動位置に運ぶ用具である。（ロ図）はトイレ便器用のクツション図である。用具は車椅子との形状は異なつているが使用要領はイ図とは全く同じである。両用具の使用によりこれまでの介護介助者の労力負荷の軽減をなくす事の一助となることを願うものである。
【図４】はリフトの正面図．平面図，全面図である。
【発明を実施するための形態】
【０００８】以下，今回実施する為の形態について説明する。
これまでの介護介助に於いて患者を移動移乗させる時に於て一人では大変な労力負荷が掛かつているのが現状である。それに対し今後高齢者の増加が予測され，又，介助要員不足がやつてくる事も鑑みパニツク事態に陥る事を懸念するところである。その先駆けとして何とか今回のこの介護介助用の取替クツション用具が今後の福祉介護機器の進化の発展に於いて寄与出来ることを願うものである。
【図１】
2020130991.tif 000003
【図２】
2020130991.tif 000004
【図３】
2020130991.tif 000005
【図４】
2020130991.tif 000006
(57)【要約】【課題】  窓に発生した結露を本カーテンで吸収させ、その水分を室内に放湿する事により室内に加湿効果を与える。【選択図】図１
2020130995.tif 000002
【特許請求の範囲】
【請求項１】
ウール、またはセルロース綿、またはレーヨン、またはマイクロポリエステル繊維等の水分吸収力の高い素材を使い、発散力も高い素材を使う事により水分吸収力と水分発散力に優れ、窓辺の結露問題と室内の空気乾燥問題を電力を使わずに同時解決出来るカーテン。
【発明の詳細な説明】
【技術分野】
【０００１】本発明のカーテン窓側は水分吸収力の高いウール、またはセルロース綿、またはレーヨン、またはマイクロポリエステル繊維等の水分吸収力の高い素材を使い、窓の結露を吸収させた後、カーテン外側は繊維の形に多くの隙間や空気に触れる面を増やして速乾性を高める織り方の生地にし、カーテンが吸った結露水分を放出させ、室内を加湿する。【０００２】綿や麻、水分吸収力が優れた化学繊維を使い、洗濯しやすく、型くずれしにくい素材でもあること。【０００３】昼間でもカーテンを広げて使えるように淡い色合いの簿地の生地にする。
【背景技術】無し
【発明の概要】
【発明が解決しようとする課題】
【０００４】従来のカーテンでは窓に付いた結露を吸収せず、窓は濡れたままになる。【０００５】窓は濡れたままになるにも関わらず、室内は湿度が低く乾燥した状態になっている。【０００６】本発明は窓辺の結露による濡れを解消出来、室内の空気の乾燥問題も同時に解決出来る。
【課題を解決するための手段】
【０００７】  本発明に係わるカーテンを窓の結露部分に押し当て、結露水分を吸わせ、結露を吸収させた後、カーテンを閉じずにそのまま広げておく事により、カーテンが吸収した水分を室内に放出させる放湿効果によって室内に加湿効果を与える。
【発明の効果】
【０００８】  電化製品の除湿機や加湿器のように電力を使わないので、電気代がかからずに加湿と結露対策が出来るのでエコ商品としても効果的。【０００９】  水分吸収力の高いウールまたはセルロース綿、またはレーヨン、またはマイクロポリエステル繊維等の水分吸収力の高い素材を使う事によって他のカーテンよりも結露水分吸収力に優れ、更に吸収した水分を蒸発させやすいカーテンなので室内に加湿効果を生み出す。【００１０】  わざわざ雑巾を使うのではなく普段使っているカーテンで簡単に結露の処理が出来る。【００１１】  素材に綿または麻を少し加える事により、水分吸収力を保ちつつ、カーテン素材に張りを与え、見栄えを良くする。
【図面の簡単な説明】
【００１２】
【図１】本発明に係るカーテンの前面図である。
【発明を実施するための形態】
【００１３】  図１は本発明に係わるカーテンの実施例を示す、従来のカーテンのようにカーテンレールに吊り下げて使用する。
【００１４】  本発明のカーテンを窓の結露部分に押し当て、結露水分を吸わせる事が出来る。
【００１５】  カーテンを閉じずにそのまま広げておく事により、カーテンが吸収した水分を室内に放出させ、その放湿効果によって室内に加湿効果を与える。
【符号の説明】
【００１６】１．本カーテン前面図である
【図１】
2020130995.tif 000003
(57)【要約】【課題】従来の挾器、鉗子等では切開部位や裂傷部位を縫合縫合する際、術者の熟練度の違いにより縫合針を通す位置に誤差が生じ、場合によっては裂開を発生させ、修復後のトラブルの原因の一つになっていた。【解決手段】挾器、鉗子等の先端に指標具を設けることで切開部位や裂傷部位から常に一定の距離に縫合針を通すことが可能となり、裂開の発生を軽減させことが可能である。また、作用点部分である把持部分に鈎を複数個配置することで組織片を確実に把持出来ることと力の分散を計れるため把持する際の組織片への損傷を軽減さすことも考慮されている。【選択図】図７
2020130967.tif 000002
【特許請求の範囲】
【請求項１】
挾器、鉗子等の縫合時に使用する挟み具において、先端に円状で一ヶ所に切り込みがある形状または、Ｕ字状の形状の指標具付与する事で切開部分または、裂傷部分の組織を挟んだ部位から常に一定のところに縫合針を通すことができることを特徴とする指標具を有する挾器または鉗子
【請求項２】
先端の円状で一ヶ所に切り込みがある形状または、Ｕ字状の形状の指標具の付与は縫合針を組織に貫通させたのち、組織から挾器、鉗子等を離す際も指標具から縫合糸を簡便に抜けるようになっているおり、大きさも縫合針が通り把持部分の先端は円状で一ヶ所に切り込みのある形状、Ｕ字状の端は概ね一致するのが特徴の指標具
【請求項３】
挾器、鉗子等の爪のついた把持部分は両方にあるが、円状で一ヶ所に切り込みがある形状または、Ｕ字状の形状の指標具の付与は把持部分の先端で片側とし、爪は確実に組織片を把持できかつ、組織片に穴が開かないのなら、爪の形状は単数でも複数でもどちらでも良い
【発明の詳細な説明】
【技術分野】
【０００１】  本発明は、傷ついた組織片を縫合という手段を用い修復する際、常に一定の距離に縫合針を通す装置及びその方法に関するものである。
【背景技術】
【０００２】  手術時の切開部分や裂傷部分の縫合の際、手指ではなく挾器や鉗子を用いるのは把持の容易さと該当部位の清潔さを維持する為である。【０００３】  切開部位や裂傷部位を縫合という方法で修復するのは感染の防止という観点からは最も肝要であるが、術者の熟練度により縫合糸を通す位置は異なりその結果、縫合針により裂開を生じさせ修復後の審美性は損なわれトラブルの原因の一つになっている【０００４】  把持部分に鈎を複数個配置することで組織を確実に把持出来ることと力の分散を計れるため把持する際の組織への損傷を軽減さすことも考慮している
【先行技術文献】
【特許文献】
【０００５】該当文献なし
【非特許文献】
【非特許文献】「デンタルスーチャリング」  クインテッセンス出版株式会社  Ｐ２５、Ｐ３５
【発明の概要】
【発明が解決しようとする課題】
【０００６】  従来の挾器、鉗子等用いての縫合では術者の熟練度により縫合針を貫通さす部位が異り修復後の審美性に差が生じる【０００７】  そこで本発明者は従来の挾器、鉗子等の先端に円状で一ヶ所に切り込みのある形状または、Ｕ字状の形状を指標具を付与することで切開部位や裂傷部位を把持したところから同一の距離で縫合糸を通す装置と方法である
【課題を解決させるための手段】
【０００８】  挾器、鉗子等の先端に円状で一カ所に切り込みのある形状または、Ｕ字状の形状の指標具を付与することで、そこに縫合針を貫通させば切開部位や裂傷部位から一定の距離を保てるため、縫合針による裂開も避けることができ術者の熟練度の差に関係なく縫合することを可能とする
【０００９】  指標具に付与されている切り込みまたは、Ｕ字状の形状のは縫合針を貫通させたのち、指標具から縫合糸を簡便に抜けるようになっているので取り扱いも簡便である
【発明の効果】
【００１０】  本発明である挾器、鉗子等の先端に円状で一カ所に切り込みのある形状または、Ｕ字状の形状の指標具を付与した挾器、鉗子等を用いることで切開部分や、裂傷部分の組織に対し最小の侵害で把持した部位より一定の距離に縫合針を貫通さすことができ、切開部分や、裂傷部分からも一定の距離を保つことが可能で縫合針による裂開の発生を防ぐという観点からも極めて有益な効果を有するものである。Ｕ字状の形状また、指標具に切り込みがあることで縫合針を組織片に貫通させたのち、組織片から挾器、鉗子等を離す際も縫合糸は指標具の切り込みまたは、Ｕ字状の開口部から簡単に抜くことができる
【図面の簡単な説明】
【００１１】
【図１】本発明に係る挾器、鉗子等の例を示す全体図である。
【図２】本発明に係る挾器、鉗子等の先端部分の拡大図である。
【図３】本発明に係る挾器、鉗子等の先端部分の拡大した斜視図である。
【図４】本発明に係る挾器、鉗子等の先端部分を閉じたところである
【図５】本発明に係る挾器、鉗子等の先端部分を閉じたところの斜視図である
【図６】本発明に係る挾器、鉗子等を擬似組織片を用い把持した時の先端部分である
【図７】本発明に係る挾器、鉗子等を擬似組織片を用い把持し、縫合針を通した時の先端部分である
【図面の簡単な説明】
【００１２】  以下、本発明を図に示す発明の実施の形態に基いて詳細に説明する。【００１３】図１（ａ）は本発明に係る挾器、鉗子の例を示すもので先端に円状で一ヶ所に切り込みの入った指標具１を片側に設けたものである【００１４】図２、図３は挾器、鉗子の先端で組織片を確実に把持するため鈎２が付与されている【００１５】図４、図５は本発明に係る挾器、鉗子を閉じ、指標具１と鈎２の位置関係を示す、挾器、鉗子の先端の片側に指標具１が設けてある【００１６】図６は本発明に係る挾器、鉗子を閉じ、擬似組織片を把持しているところを示す【００１７】図７は本発明に係る挾器、鉗子で擬似組織片を把持し、挾器、鉗子の先端の片側に設けた指標具１に縫合針を通したところ
【符号の説明】
【００１８】１  指標具
２  鈎（把持部、作用点部分）
３  力点部分
４  支点部分
５  擬似組織
６  縫合針
７  持針器
８  縫合針を貫通させたのち縫合糸を指標具からぬくための切込み
【図１】
2020130967.tif 000003
【図２】
2020130967.tif 000004
【図３】
2020130967.tif 000005
【図４】
2020130967.tif 000006
【図５】
2020130967.tif 000007
【図６】
2020130967.tif 000008
【図７】
2020130967.tif 000009
(57)【要約】【課題】従来、腕の筋肉を鍛える鉄アレイは、あらかじめ重さが定められていて自分に適した重量の鉄アレイを選択して使用していたが、人によって重量が異なるのと、一つの器具で鍛錬の上達にしたがって重量の選定を選択することが出来なかったので、運動器具を提供する。【解決手段】一体化した円柱本体の左右に収納部取り付け部蓋を取り付け、収納部取り付け部蓋には収納部取り付け部容器を取り付け、収納部には砂や水を出し入れすることによって、全体の重量を調整することを特徴とする。【選択図】図１
2020130970.tif 000002
【特許請求の範囲】
【請求項１】
（イ）円柱本体（１）と左右の円柱本体（２）と円柱本体（５）は一体化しており、筒パイプ（３）に挿入してある、
（ロ）円柱本体（２）と円柱本体（５）の一側に収納部取り付け部蓋（６）と収納部取り付け部蓋（７）を取り付ける、
（ハ）収納部取り付け部蓋（６）と収納部取り付け部蓋（７）には、収納部取り付け部容器（８）と収納部取り付け部容器（９）を取り付けるように設けてある、
（二）収納部取り付け部容器（８）収納部取り付け部容器（９）の収納部には砂や水を出し入れすることによって全体の重量を調整することが出来る、
（ホ）円柱本体（１）の中央には筒パイプ（３）を楕円形状にして取り付け、上下を楕円形（１０）楕円形（１１）にし、筒パイプ（３）は円柱本体（１）を回転自在に取り付けられている、
（ヘ）筒パイプ（３）の外周には滑り止め（４）が取り付けられている、
以上のように構成された腕や脚の筋肉を鍛える運動器具。
【発明の詳細な説明】
【技術分野】
【０００１】  本発明は腕や脚の筋肉を鍛える運動器具に関するものである。
【背景技術】
【０００２】  従来は、腕の筋肉を鍛えるために、鉄アレイの運動器具が提供されていた。
【発明の概要】
【発明が解決しようとする課題】
【０００３】  従来、腕の筋肉を鍛える鉄アレイは、あらかじめ重さが定められていて自分に適した重量の鉄アレイを選択して使用していた。
しかし、人によって重量が異なるのと、一つの器具で鍛錬の上達にしたがって重量の選定を選択することが出来なかった。
【課題を解決するための手段】
【０００４】  円柱本体（１）の左右に円柱本体（２）と円柱本体（５）を一体化して設け、筒パイプ（３）に挿入してあり、円柱本体（２）と円柱本体（５）の一側に収納部取り付け部蓋（６）と収納部取り付け部蓋（７）を取り付け、収納部取り付け部蓋（６）と収納部取り付け部蓋（７）には、収納部取り付け部容器（８）と収納部取り付け部容器（９）を取り付け、収納部取り付け容器（８）と収納部取り付け容器（９）の収納部には砂等を出し入れすることによって全体の重量を調整することが出来て、円柱本体（１）の中央に外形は楕円形状にした筒パイプ（３）を取り付け、上下を楕円形（１０）と楕円形（１１）にして、筒パイプ（３）は円柱本体（１）を回転自在に取り付けられていて、筒パイプ（３）の外周には滑り止め（４）が取り付けられている。
【発明の効果】
【０００５】（イ）運動器具の重量を自由に変更出来るので、トレーニングの幅が広がり、一つの運動器具で対応出来る。
（ロ）持ち手を持ちやすく改良し、持ち手が滑らないようにし、滑り止めを付けて回転するようにした事でトレーニングの応用範囲が広がるようになった。
【図面の簡単な説明】
【０００６】
【図１】本発明の取付け状態図である。
【図２】本発明の本体の断面図である。
【図３】本発明の本体の側面図である。
【発明を実施するための形態】
【０００７】  以下、本発明の実施の形態を説明する。
（イ）円柱本体（１）の左右に円柱本体（２）と円柱本体（５）を一体化して設け、筒パイプ（３）に挿入してある。
（ロ）円柱本体（２）と円柱本体（５）の一側に収納部取り付け部蓋（６）と収納部取り付け部蓋（７）を取り付ける。
（ハ）収納部取り付け部蓋（６）と収納部取り付け部蓋（７）には、収納部取り付け部容器（８）と収納部取り付け部容器（９）を取り付けるように設けてある。
（二）収納部取り付け部容器（８）と収納部取り付け部容器（９）の収納部には、砂等を出し入れすることによって全体の重量を調整することが出来る。
（ホ）円柱本体（１）の中央に外形は楕円形状にした筒パイプ（３）を取り付け、上下を楕円形（１０）、楕円形（１１）にし、筒パイプ（３）は円柱本体（１）を回転自在に取り付けられているので、収納部取り付け部容器（８）（９）の姿勢（図１に示した状態）垂下状態での位置が保たれるので、色々な部位を鍛えるのに取扱いが容易に使用出来る。
（ヘ）筒パイプ（３）の外周には滑り止め（４）が取り付けられている。
本発明は、以上のような構造である。
【０００８】  本発明を使用するときは、収納部取り付け部蓋（６）（７）に取り付けられた収納部容器（８）（９）を取り外し、収納部取り付け容器（８）（９）に使用者の力量に合わせて、砂等を入れて重量を調整する。この事によって、例えば鍛える部位に合わせて砂等を調整する事も出来る。トレーニングする時は、収納部取り付け部容器（８）（９）に砂等を入れて、収納部取り付け部蓋（６）（７）に収納部取り付け部容器（８）（９）を取り付ける。
【０００９】  本発明の中央部滑り止め（４）を手で持ち、腕の曲げ伸ばしをすることによって、腕の筋肉（上腕二頭筋）が鍛えられる。
【００１０】  椅子に座り、本発明の中央部滑り止め（４）の平状部を脚（片足・両足）の甲に乗せ、足を伸ばし上下に動かすことによって、腹筋及び大腿四頭筋が鍛えられる。
【００１１】  椅子に座り、本発明の中央部滑り止め（４）の平状部を腿（片足・両足）に乗せ、上下に動かすことによって、腸腰筋（骨盤と股関節の筋肉）が鍛えられる。
【００１２】  本発明の中央部滑り止め（４）の平状部を肩に乗せ、乗せていない側に首を倒すことによって、首から肩の筋肉のストレッチになる。
【００１３】  椅子に手を添えて直立して立ち、後ろ足首に本発明の中央部滑り止め（４）の平状部を乗せ、後方上部に上げ下げすることによって、腿の後ろの筋肉が鍛えられる。
【００１４】  口にくわえ首を上下することにより僧帽筋（首の筋肉）及び咀嚼筋（口の周りの筋肉）が鍛えられる。
これらの運動をすることにより、筋肉を鍛えながら体の姿勢が良くなる器具です。
【符号の説明】
【００１５】１    円柱本体
２    円柱本体
３    筒パイプ
４    滑り止め
５    円柱状
６    収納部取り付け部蓋
７    収納部取り付け部蓋
８    収納部取り付け部容器
９    収納部取り付け部容器
１０  楕円形
１１  楕円形
１２  隙間
【図１】
2020130970.tif 000003
【図２】
2020130970.tif 000004
【図３】
2020130970.tif 000005
(57)【要約】【課題】素振り用の木刀や野球用のバット等、手で持つ道具類を握る際に必要な絞り込む手の動かし方、道具の用途によっては絞り開く動かし方を、道具を使う動作の中で、容易に習得できる把柄を提供する。【解決手段】握り部分を多角形の螺旋形状とすることにより、多角形の角から螺旋に伸びる稜線（スジ）２と把握面３を形成した。【選択図】図５
2020130968.tif 000002
【特許請求の範囲】
【請求項１】
断面多角形の螺旋形状により、多角形の角から螺旋に伸びる稜線（スジ）と把握面を形成した運動具等の把柄。
【発明の詳細な説明】
【技術分野】
【０００１】  本発明は、素振り用の木刀や野球用のバット等の握り部分の形状に関する。
【発明の概要】
【発明が解決しようとする課題】
【０００２】  現状の把柄の断面形状は、円、楕円、多角形等があるが、全て断面形状がまっすぐ通った形状であるため、素振り用の木刀や野球用のバット等の道具を握る際に必要な絞り込む手の動かし方、道具の用途によっては絞り開く動かし方を自らの工夫によって見出さなくてはならず、その習得に苦労したり、習得に至らず試行錯誤したりと多大な時間を費やし、それが技の向上の妨げとなり困惑している方々が殆どである。
また、把柄の握り方を習得するために、握った際の手の形を模した把柄もあるが、手の大きさ、指の長さ、指の太さ、骨格などに個人差があるため馴染みにくく、握った手の形に拘束されるため、道具を動かす際に生じる微妙な手の動きが成されず、習得に至らない方を多く見受ける。
本願は前記問題点を解決するために成すもので、素振り用の木刀や野球用のバット等を握る際に必要な絞り込む手の動かし方、道具の用途によっては絞り開く動かし方を、道具を使う動作の中で、手の特性の個人差は関係なく、容易に習得できる運動具等の把柄を提供する。
【課題を解決するための手段】
【０００３】  握り部分を断面多角形の螺旋形状とすることにより、図５に示すように多角形の角から螺旋に伸びる稜線（スジ）２と把握面３を形成した。【０００４】  螺旋形状の捻じり強さは、道具の用途により適度な強さとする。【０００５】  螺旋形状の捻じり方向は、右捻じりと左捻じりがあり、道具の用途により使い分ける。【０００６】  握り部分の形状は、円筒形と円錐台形を道具の用途により使い分ける。【０００７】  断面多角形の多角数は６角形や８角形など道具の用途により多角数を設定する。【０００８】  断面多角形から螺旋に伸びる把握面３は、平面のみでなく、図７に示すように、凸面又は凹面を道具の用途等によって使い分ける。
【発明の効果】
【０００９】  素振り用の木刀や野球用のバット等を握って道具を使う動作（スイング動作等）を行うと、軌道がブレない。そのため、的確に打ち込める等、道具の特性に見合った動作を実現する。
【図面の簡単な説明】
【００１０】
【図１】本発明の多角形螺旋形状左捻じりの把柄の正面図である。
【図２】図１のＡ視図である。
【図３】本発明の多角形螺旋形状右捻じりの把柄の正面図である。
【図４】図３のＡ視図である。
【図５】本発明の多角形螺旋形状左捻じりの把柄の斜視図である。
【図６】本発明の多角形螺旋形状右捻じりの把柄の斜視図である。
【図７】本発明の多角形螺旋形状に伸びる把握面の種類を示す。
【図８】本発明の多角形螺旋形状の把柄の素振り用木刀の外観である。
【図９】本発明の多角形螺旋形状の把柄の素振り用野球バットの外観である。
【発明を実施するための形態】
【００１１】  握り部分を断面多角形の螺旋形状とすることにより、多角形の角から螺旋状に伸び、握った手が螺旋に馴染み、捻じり方向に導かれ、握り込める。
【実施例】
【００１２】  図８に示す素振り用木刀で説明する。
図５に素振り用木刀の把柄１を示し、先端側の図示は省略する。
把柄１は断面６角形とされ、頂角部の稜線（スジ）２が螺旋状に形成され、稜線（スジ）２と隣設する稜線（スジ）２とが結ばれる把握面３が形成される。【００１３】  本実施例では、素振り用木刀の実施例を示したがこれに限るものではない。
手で把柄を握る運動用具全般に利用できるものであり、素振り用野球バット、素振り用ゴルフクラブ、素振り用テニスラケット、ドラムスティック、太鼓撥等に利用される。
さらには、運動具に限らず、手に握る道具全般に利用できる。
【符号の説明】
【００１４】    １  把柄
２  稜線（スジ）
３  把握面
【図１】
2020130968.tif 000003
【図２】
2020130968.tif 000004
【図３】
2020130968.tif 000005
【図４】
2020130968.tif 000006
【図５】
2020130968.tif 000007
【図６】
2020130968.tif 000008
【図７】
2020130968.tif 000009
【図８】
2020130968.tif 000010
【図９】
2020130968.tif 000011
(57)【要約】      （修正有）【課題】外観的にも良く、極めて衛生的である立ち食い蕎麦台を提供する。【解決手段】循環ポンプ３の圧配管にて水を回し下部に水槽循環を設け回転立ち食い蕎麦台を有する配管ポンプ循環装置とする。【選択図】図１
2020130966.tif 000002
【特許請求の範囲】
【請求項１】
外周面に所定巾（５）を付設した平面輪状の受け皿台（１）の面に、一程の方向に連続以降する。受け代８（２）を設けて無臭に設けて所要うの食品を台にのせて水中ポンプに回転装置するようにした配管圧て、受け皿の食品を受け多数個を立、横割り列にして、回転立ち食い蕎麦台とする
【発明の詳細な説明】
この発明は、飲食営業に回転立食い蕎麦台をもちいて，好適の食事台に関するものであって
特に受け台を旋回移動する食品を一つずつ食品台に収めて旋回するようにしたものである。
この発明の実施例を平、断面に説明すると、（１）は水廻りの囲い材もって、作られた上には立ち食い蕎麦食品を一定方向に循環ホンプの配管圧力によって適時の
調理台を突設させる。又、内外板を設けて図の様に枠にて回転し、旋回を設けられる、図の平、断面図枠にて、回転し、旋回を設けられる。
図（２）、（３）に示すように圧力ポンプの回転し、順番回転し、実質上且つ外観的にも、極めて、衛生的であるなど、多くの利点がある。
【図面の簡単な説明】
【図１】は全体の平面図
【図２】は断面図  循環ホンプ圧配管にて水を循環する装置
【図３】は図の様に下部に帰りに水槽を設ける。以上回転立ち食い蕎麦台をホンプにて循環装置である。
【図１】
2020130966.tif 000003
【図２】
2020130966.tif 000004
【図３】
2020130966.tif 000005
(57)【要約】【課題】  従来技術は、単に箸先部を交換するもので、エコ箸を提供するものであり、本発明のような多目的に使用できるものではない。  また、箸の端部にフォークを設けたものであり、これもまた、本発明のような多目的に使用できるものではない。【解決手段】  箸本体と箸先部を連結部で着脱自在に形成してなるもので、この箸先部をカニ身を取るべくスパイラル形に形成してなることを特徴とする。【選択図】図１
2020130977.tif 000002
【特許請求の範囲】
【請求項１】
箸本体と箸先部を連結部で着脱自在に形成してなるもので、この箸先部をカニ身を取るべくスパイラル形に形成してなることを特徴とする多目的箸。
【請求項２】
前記箸先部が、巻貝を引き抜くべく先端部を係止状に形成してなることを特徴とする多目的箸。
【請求項３】
前記箸先部が、貝柱を取り外すべく先端部をヘラ状に形成してなることを特徴とする多目的箸。
【請求項４】
１組２本の箸の少なくとも１本を前記多目的箸とすることを特徴とする請求項１、２又は３記載の多目的箸。
【発明の詳細な説明】
【技術分野】
【０００１】  本発明は、箸本体に目的に応じた箸先部を取り付けることのできる多目的箸に関するものである。
【背景技術】
【０００２】  従来の技術として、箸先部が交換可能な組み立て式のエコ箸であって、箸先部の後端に後端の外径より細く同軸状に形成され周面にシボ加工が施された突起と、突起が挿入されると箸先部を保持する凹部が形成された把持部とを備えるものがある。（特許文献１参照）【０００３】  また、別の従来技術として、食卓で大皿に盛られた食物の小分け取りやパック詰め、ビン詰め等から食物を挟んだり、刺したりするため、箸の端部にフォークを設けてフォーク付箸としたものがある。（特許文献２参照）
【先行技術文献】
【特許文献】
【０００４】
【特許文献１】実用新案登録第３１９３５７３号公報
【特許文献２】特開２０１２−４０３３１号公報
【発明の概要】
【発明が解決しようとする課題】
【０００５】  上記前者の従来技術は、単に箸先部を交換するもので、エコ箸を提供するものであり、本発明のような多目的に使用できるものではない。【０００６】  また、上記後者の従来技術は、箸の端部にフォークを設けたものであり、これもまた、本発明のような多目的に使用できるものではない。【０００７】  本発明は、このような従来の構成が有していた問題を解決しようとするもので、カニや巻貝・二枚貝（貝柱）等、食べる食材により箸先部を交換することにより、目的を達成（食べ易い）することのできる多目的箸を提供することを目的とする。
【課題を解決するための手段】
【０００８】  本発明は上記目的を達成するため、箸本体と箸先部を連結部で着脱自在に形成してなるもので、この箸先部をカニ身を取るべくスパイラル形に形成してなること。前記箸先部が、巻貝を引き抜くべく先端部を係止状に形成してなること。前記箸先部が、貝柱を取り外すべく先端部をヘラ状に形成してなること。１組２本の箸の少なくとも１本を前記多目的箸とすることを特徴とする。
【発明の効果】
【０００９】１）、箸本体と箸先部を着脱自在に設けると共に、目的別の箸先部により、色々な料理（食材）をストレスなく食べることができる。
２）、箸先部をスパイラル形にすることにより、特にカニ身を簡単に引き抜き、食べることができる。
３）、箸先部を係止状にすることにより、特に巻貝（サザエ等）を引き出して食べることができる。
４）、箸先部をヘラ状にすることにより、特に二枚貝の貝柱を取るのに有効である。
【図面の簡単な説明】
【００１０】
【図１】  本発明の第１実施例の多目的箸の正面図。
【図２】  本発明の第１実施例の多目的箸の使用状態図。
【図３】  本発明の第２実施例の多目的箸の正面図。
【図４】  本発明の第２実施例の多目的箸の使用状態図。
【図５】  本発明の第３実施例の多目的箸の正面図。
【図６】  本発明の第３実施例の多目的箸の使用状態図。
【発明を実施するための形態】
【００１１】  多目的箸１は、箸本体２とカニ身を取るべくスパイラル形に形成した箸先部３を凹凸状の連結部４で着脱自在に形成してある。
【００１２】  多目的箸１の使用例について説明する。
まず、カニ足Ｋの一端より多目的箸１の箸先部３を回転させながらカニ身ＫＭの内部に螺入させて食い込ませた後、引き抜くことによりカニ身ＫＭを食べることができる。
【００１３】  多目的箸２１は、箸本体２２と巻貝を引き抜くべく尖端係止状（鉤状）に形成した箸先部２３を凹凸状の連結部２４で着脱自在に形成してある。
【００１４】  多目的箸２１の使用例について説明する。
例えば、巻貝の一種としてサザエＳの蓋Ｆの側面より多目的箸２１の箸先部２３を差し入れ、中の身に先端を係止させた後、引き抜き食べるものである。
【００１５】  多目的箸３１は、箸本体３２と二枚貝の貝柱を外すべく先端をヘラ状に形成した箸先部３３を凹凸状の連結部３４で着脱自在に形成してある。
【００１６】  多目的箸３１の使用例について説明する。
例えば、ハマグリ等の二枚貝Ｎにある貝柱ＫＨを外すべく、多目的箸３１の箸先部３３の先端を貝柱ＫＨの底部に差し込み外すものである。
【００１７】  以上、各実施例における多目的箸の材質においては、特に限定するものではない。
また、箸本体の形状も、断面丸形や断面四角形等色々考えられる。
さらに、１組の２本の箸を多目的箸として、通常に使用できるものであり、例えば、箸先部３の物はスパゲティ等麺類を食べるのに適している。
箸先部２３は、ウインナーやソーセージを食べるのにも適している。
箸先部３３は、挟み面が広いので、タマゴ焼やカマボコ等を取るのに便利である。
【符号の説明】
【００１８】１―――多目的箸
２―――箸本体
３―――箸先部
４―――連結部
Ｋ―――カニ
ＫＭ――カニ身
【図１】
2020130977.tif 000003
【図２】
2020130977.tif 000004
【図３】
2020130977.tif 000005
【図４】
2020130977.tif 000006
【図５】
2020130977.tif 000007
【図６】
2020130977.tif 000008
(57)【要約】【課題】    歯周病の原因である歯周菌の予防に関する。【解決手段】歯のケアする補助具を一本の歯ブラシの構成にした特徴は柄部中空部を有効活用し、補助具の内蔵に成功した点である。従来、使用目的により、補助具を使い分けしていたが、一体化した事により、客観的に利便性を考慮し、歯周病菌の増殖を最大限に除去できる歯ブラシとした。又ブラシ６ｍｍとし、余力・摩擦の抵抗を抑制し、歯と歯肉の境目までみがけ、歯間にも的確にブラシが入る構成とした。【選択図】図１
2020130976.tif 000002
【特許請求の範囲】
【請求項１】
歯石歯垢除去を目的とした歯ブラシであって、楕円形ブラシ部は、長軸が中空柄部の中心軸に対して直交、ブラシの長さ６ｍｍ、長軸に平行４列×３列垂直７列、材質はナイロン１２と豚毛で構成され、中空三角柱状の柄部は一辺の長さ１５ｍｍ〜１７ｍｍ全長１７ｃｍ内部１４．７ｍｍ、材質はナイロンであり一部中空孔を設けてあり、両者を繋ぐアーム部は柄に対して７０度、材質はナイロンであり、柄部の中央内部に三角柱状の保持部、枝状体とし、内部治具は柄に対して脱着自在、内蔵された補助治具の片側に荒めの１ｍｍ〜２ｍｍの歯間ブラシを有し、もう片方が金属製の歯石歯垢除去補助治具を有することを特徴とする歯ブラシ。
【発明の詳細な説明】
【技術分野】
【０００１】  本歯ブラシの発明目的は、歯周病及び歯周菌の炎症、細菌の増殖を予防することを歯ブラシの標準の領域と範囲を超えた歯ブラシである。
【背景技術】
【０００２】  歯と歯肉の境目に、細菌の塊である歯垢歯石の除去する形成としブラシ部も歯形にそった歯間のケアも可能とし、柄の中空部に歯間ブラシ歯垢歯石除去補助治具を内蔵とし、歯間ブラシは脱着自在とし歯垢歯石除去治具は固定し、歯周菌の増殖を予防する事を最大に発揮できる構成である。
【発明の概要】
【発明が解決しようとする課題】
【０００３】  概要としては、歯と歯肉の境目の歯周菌をできる限り除去すること、歯間の完全にみがける歯間ブラシ、歯垢歯石による歯周病予防し、常に清潔な歯を保ち、永久歯を保持することが課題である。
【課題を解決するための手段】
【０００４】  歯石歯垢除去を目的とした歯ブラシであって、楕円形ブラシ部は、長軸が中空柄部の中心軸に対して直交、ブラシの長さ６ｍｍ、長軸に平行４列×３列垂直７列、材質はナイロン１２と豚毛で構成され、中空三角柱状の柄部は一辺の長さ１５ｍｍ〜１７ｍｍ全長１７ｃｍ内部１４．７ｍｍ、材質はナイロンであり一部中空孔を設けてあり、両者を繋ぐアーム部は柄に対して７０度、材質はナイロンであり、柄部の中央内部に三角柱状の保持部、枝状体であり、内部治具は柄に対して脱着自在、内蔵された補助治具の片側に荒めの１ｍｍ〜２ｍｍの歯間ブラシを有し、もう片方が金属製の歯石歯垢除去補助治具を有することを特徴とする歯ブラシ。
【発明の効果】
【０００５】  一体型なので歯磨き、歯間ブラシの使用、歯石歯垢除去治具を順次することにより、常に歯のケアを毎回することができて、歯をクリーンに保つことができる。歯周病等を完璧に予防することができる。歯ブラシとして磨きやすく、力を加えて磨くことができる。【０００６】  柄部の中空部に内蔵した、図６ａの歯間ブラシがの荒め為、歯周菌を増殖することなく、歯周ポケットも浅層時に予防でき、炎症歯槽膿漏等を薬用ハミガキと併用することで、更なる清潔な歯を保つ効果は創造以上の錚々の爽快さを感じると実証できる。
【図面の簡単な説明】
【０００７】
【図１】  楕円形ハブラシ
【図２】  アーム部
【図３】  柄部三角形中空部
【図４】  中空部内蔵歯間ブラシ・歯垢歯石除去治具
【図５】  背面図の通気孔及び水抜き
【発明を実施するための形態】
【０００８】  図１．１ないし図３は本発明に係る歯ブラシの実施例を示す。楕円形歯ブラシ図２アーム部は７０度とし、図１．４三角柱状中空で中央部中空に図３を内蔵し一体型歯ブラシを構成する。図３  ６ａ・６ｂを有し、図６ａ歯間ブラシは脱着自在とし、図６ｂ歯石歯垢除去補助具は固定式とした、歯周病歯周菌の増殖の予防する構成とした。
【符号の説明】
【０００９】１  楕円形ハブラシ
２  歯ブラシと柄部を連結させるアーム
３  柄部三角形中空部
４  中空部内蔵した歯間ブラシ、歯垢歯石除去治具
５  中空孔
６  内蔵図６ａ歯間ブラシ図６ｂ歯垢歯石除去治具本体装着
７  差し込み側
８  差し込み受け口
【図１】
2020130976.tif 000003
【図２】
2020130976.tif 000004
【図３】
2020130976.tif 000005
【図４】
2020130976.tif 000006
【図５】
2020130976.tif 000007
(57)【要約】【課題】適宜の大きさの盤の正面にひらがな文字、背面にカタカナ文字等を凸刻し、袋等に入れたこの凸刻文字を、指先で触って認識する時間等を競うゲームである。【解決手段】正面盤に凸刻したひらがな文字の上向き方向に凸片を設け、右９０度付近に凹片を設けたもので、袋等の中でも、凸片によって文字の上向きが解かり、凹片の左右の向きによって正面、背面の区別ができるようにしてある。【選択図】図１
2020130975.tif 000002
【特許請求の範囲】
【請求項１】
適宜の大きさの正面盤にひらがな文字を凸刻し、背面盤に関連文字を凸刻する。
正面盤に凸刻したひらがな文字の上向き方向の上縁に凸片を設け、右９０度付近の側縁に凹片を設ける。
以上の如く構成し、盤面の凸刻文字を触覚で認識することを特徴とする能動的触覚ゲーム装置。
【発明の詳細な説明】
【技術分野】
【０００１】  本発明は、盤面に刻んだ五十音の凸刻文字を袋等に入れ、手（指先）で触って認識（確認）しようとするものである。
【背景技術】
【０００２】  本発明に関連する出願としては、平成２７年１０月２９日出願の、実用新案登録第３２０３１４４号（以下引例文献と称する）等がある。【０００３】  本発明は引例文献に類似するものであるが、引例文献を更に進化、改良したものである。
【発明の概要】
【発明が解決しようとする課題】
【０００４】  本発明は、正面と背面の両盤面に、関連する文字を凸刻して設けたものである。
【課題を解決するための手段】
【０００５】  盤の上縁には凸片を設け、右９０度付近の側縁に凹片を設ける。この状態の手前側の盤面を正面盤とし、反対面を背面盤とする。これは、袋等に入れて見えなくした盤面の上向きと、正、背面を指先で認識、確認するためのものであるので、上縁を凹片にして、側縁を凸片にすることも可能である。
【発明の効果】
【０００６】  引例文献では、ひらがな、カタカナ、アルファベット等の文字を、片面に凸刻して設けたもので、各文字を総て作る必要があったが、本発明は、関連の文字を背面に凸刻して設けているので、盤の製造枚数を少なくすることができる。【０００７】  このゲームをすることにより、集中力や触覚器官の向上、延いては、脳機能の向上等に効果があるのではないかと思われる。
【図面の簡単な説明】
【０００８】
【図１】本発明の正面方向の拡大斜視図である。
【図２】本発明の背面方向の拡大斜視図である。
【発明を実施するための形態】
【０００９】  本発明は、正面の盤にひらがなの凸刻文字を、背面の盤にカタカナの関連文字を凸刻して設けたものである。即ち、正面がひらがなの「あ」の場合、背面は「ア」、正面がひらがなの「か」の場合、背面は「カ」の文字が凸刻されている。
【実施例】
【００１０】  図面について説明すると、図１は本発明の正面方向の斜視図で、図２は背面方向の斜視図である。【００１１】  材質はプラスチック、固紙等を用い、盤の直径は４〜６ｃｍ位が適当と思われ、厚さは１ｍｍ前後が適当と思われる。又、各凸刻文字の高さ（厚さ）も、１ｍｍ前後が適当と思われる。【００１２】  正面盤１に、ひらがな文字２を凸刻して設け、背面盤３に関連のカタカナ文字４を凸刻して設ける。【００１３】  正、背面盤１、３の上縁に凸片５を設け、正面盤１の右方向９０度付近の側縁に凹片６を設ける。図２の背面盤３を手前側にした場合、凹片６が左側にくる。【００１４】  凸片５は、文字の上向き方向を示すもので、ひらがな文字２、カタカナ文字４が上を向いた方向の上縁に設ける。こうすることにより、袋等に入れて見えなくしたひらがな文字２、カタカナ文字４の上向きが解かり、文字を認識するのに役立つ。【００１５】  凹片６は、見えなくした袋等の中で正面盤１、背面盤３が認識、確認できるもので、凸片５を上向きにして、右側に凹片６がある場合は、正面盤１が手前側になり、凹片６が左側にある場合は、背面盤３が手前側になることが解かる。【００１６】  ひらがな文字２の背面に凸刻したカタカナ文字４の他に、アルファベット文字等を凸刻して設けることも可能である。即ち、正面盤１のひらがな文字２が「あ」の場合、背面盤３には「Ａ」が凸刻してあり、ひらがな文字２が「か」の場合、背面盤３には「ＫＡ」が凸刻してある。こうすることにより、小児等がアルファベット文字が解かるようになり、英語圏の人が、ひらがなが解かるようになる。尚、この場合、ひらがな文字２、カタカナ文字４が凸刻された盤とは別に作る必要がある。【００１７】  外国文字はアルファベット文字だけに限らず、五十音に対応できる文字があれば、その外国文字を凸刻することも一方法である。【００１８】  ゲームの方法としては、総ての文字を袋等に入れ、凸片５で文字の上向きを確認し、凹片６の左右の位置により、正面盤１又は背面盤３を認識、確認する。【００１９】  ひらがな文字２を使い競技する場合、袋の中の盤の上向き、正面盤１を確認した後、何の文字かを指先で触って認識する。多くの盤の中から適当な単語、例えば「そら」、「うみ」、「はな」等を選び出す。間違わずに出すのに何分何秒かかったかを記す。交代して相手側が行ない、早く探し当てた方の勝ちとする。或いは、適当な単語２文字〜４文字を袋に入れ、それを間違いなく取り出すのに何分何秒かかったかを競う。【００２０】  カタカナ文字、アルファベット文字でも、色々な遊ぶ方法が考えられる。又、ひらがな、カタカナ等の濁音、半濁音、小文字等を加えれば、ゲームの面白さが拡がるように思う。【００２１】  引例文献では、正面の文字を親指の腹で認識し、人差し指や中指等は背面に置いている場合が多いと思われるが、本発明では、そのような指の配置にした場合、背面の凸刻文字を触るので、感覚的に正面の文字の識別ができ難いと思われる。従って、本発明の凸刻文字を認識するには、背面の凸刻文字を触らずに認識する指の配置が必要となるので、引例文献よりも認識が難しいと思われる。
【符号の説明】
【００２２】  １  正面盤
２  ひらがな文字
３  背面盤
４  カタカナ文字
５  凸片
６、凹片
【図１】
2020130975.tif 000003
【図２】
2020130975.tif 000004
(57)【要約】【課題】  この発明は、ドーム型の器を用いて顔面上に吊り下げ、顔面との間を（３）開けて覆い、就寝中の７〜９時間に加湿が出来る就寝加湿ドームを提供する。【解決手段】  ドーム型の器（１）の中央部に穴（４）をあけてリング付きボルト（５）を通してナット（６）で締め固定し、あらかじめ作成の支持アーム（９）の先端に取り付けた釣り金具（１０）に掛けて支持アーム下部の調節座金（２２）まで鞘管（１３）に差し込んでアーム支持テーブル（１５）の支持管受け（１８）穴に鞘管（１３）を差し込んで使用形態が出来る、吊り下げドーム型を特徴とする。【選択図】図１
2020130973.tif 000002
【特許請求の範囲】
【請求項１】
ドーム型の器（１）の中央部に穴（４）をあけてリング付きボルト（５）を通してナット（６）で締め固定し、あらかじめ作成の支持アーム（９）の先端に取り付けた釣り金具（１０）に掛けて支持アーム下部の高さ調節座金（２２）まで鞘管（１３）の高さ調節リング（１１）まで差し込んだ後アーム支持テーブル（１５）の支持管受け穴（１８）に鞘管（１３）を差し込んで使用形態が出来る、吊り下げドーム型を特徴とする就寝加湿ドーム。
【発明の詳細な説明】
【技術分野】
【０００１】  この発明は、ドーム型の器を支持アームに吊り下げて使用し、就寝中に顔面上を覆って顔面加湿と共に呼吸器に潤いを持たすようにした、吊り下げドーム型とした就寝加湿ドームに関するものである。
【背景技術】
【０００２】  従来の加湿器は、電力、機械装置によって湿気を発生させて浴し吸引する方法が一般的であった。
【先行技術文献】
【特許文献】
【０００３】
【特許文献１】実願平０６−００１６６３
【発明の概要】
【発明が解決しようとする課題】
【０００４】  従来の加湿器には次の様な欠点があった。
（イ）顔面や呼吸器湿潤には、長時間は使用しにくい。
（ロ）水を使うので、加湿器の水タンクを周期的に洗浄の必要がある。
（ハ）水を使うので、水タンクに薬剤投入の必要がある。
（ニ）長時間使用は部屋が過加湿になり、にカビが発生しやすい。
（ホ）機械装置付のため高価であり、点検修理の必要がある。
本発明は、これらの欠点を除くためになされたものである。
【課題を解決するための手段】
【０００５】  本発明の就寝加湿ドームは、就寝中に顔面加湿や呼吸器湿潤が出来て、手入れ修理も不要で安価に入手できるものとした。
ドーム型の器（１）の中央部に穴（４）を開けてリング付きボルト（５）を通してナット（６）で締め固定し、あらかじめ作成の支持アーム（９）の先端に取り付けた釣り金具（１０）に掛けて支持アーム下部の高さ調節座金（２２）まで鞘管（１３）に差し込んだ後アーム支持テーブル（１５）の支持管受け穴（１８）に鞘管を差し込んで使用形態が出来る。
本発明は、以上の様な構成よりなる就寝中に加湿出来るドーム型の就寝加湿ドームである。
【発明の効果】
【０００６】（イ）加湿時間、場所を特別に設ける必要が無い。
（ロ）加湿効果が充分に出るので毎日行える。
（ハ）必要な箇所に加湿を行うので、部屋は過加湿にならない。
（ニ）作成材料費が安価なので広く普及でき加湿効果が上がる。
（ホ）構成に電気、機械部分がないので点検修理の必要が無い。
（ヘ）移動出来るので、昼寝時間でもよし、装飾性もある。
【図面の簡単な説明】
【図１】  本考案の側面図で各部品の組み立て前の図である。
【図２】  本考案の側面図で使用時の形態を示した図である。
【発明を実施するための形態】
【０００７】    以下、本発明の実施の形態について説明する。
ドーム型の器（１）の中央部（４）に穴をあけてリング付きボルト（５）を通してナット（６）で締め固定し、あらかじめ作成の支持アーム（９）の先端に取り付けた釣り金具（１０）に掛けて支持アーム下部の高さ調節座金（２２）まで鞘管（１３）の高さ調節リング（１１）まで差し込んでアーム支持テーブル（１５）の鞘管受け穴（１８）に鞘管（１３）を差し込んで使用形態が出来る。
【０００８】  就寝加湿ドームを使用には、組み立てた就寝加湿ドームを就寝場所に移動してドーム（１）の下端が就寝顔面との間に距離（３）があることを確認して使用開始する。
使用に際して圧迫感を覚える際は、ドームと顔面の間の距離（３）は１５ｃｍ程度に開けても変わらず就寝中に加湿効が上がる、１５ｃｍ以上の間を開けると加湿効果は下がる。
【０００９】  就寝中の７〜９時間は自らの呼気による穏やかな加湿（８）が出来て起床時には顔面膚に潤い感を覚える、また、自らの出した湿気（８）を吸入し潤し喉を乾燥から防いで風邪防止になる、顔（７）からドーム（１）の距離（３）からずれない方が良い。
【００１０】  本発明の使用には、構造は単純で材料個数も少なく故障も起こらない、製作費用もあまり掛からず提供も安価に出来る。
【符号の説明】
【００１０】  １    ドーム直径３６ｃｍ
２    反射材
３    顔面とドームの間５〜６ｃｍ
４    ドーム中心の穴直径６．５ｍｍ
５    リング付きボルト直径６ｍｍ
６    ナット直径６ｍｍ
７    顔面
８    ドーム内湿気７０〜９０％
９    ドーム支持アーム太さ５ミリｍｍ
１０  ピアノ線の先端に釣り金具
１１  高さ調節リング
１２  高低調節段
１３  ドーム支持アーム鞘管６．５ｍｍ
１４  テーブル脚部
１５  アーム支持テーブル
１６  テーブルは前後左右移動可能
１７  マットレス
１８  テーブルの鞘管受け穴直径８ｍｍ
１９  支持アームのドーム中心との距離４５ｃｍ
２０  ドーム支持アームのテーブル面との距離６０ｃｍ（テ−ブル高に依る）
２１  ドーム直径３６ｃｍ
２２  アーム高さ調節座金
２３  ドーム底面からの高さ１５ｃｍ
【図１】
2020130973.tif 000003
【図２】
2020130973.tif 000004
(57)【要約】      （修正有）【課題】認知症予防ゲーム「オトロエン・ゲーム」のルールに適合した駒を提供する。【解決手段】認知症予防ゲーム「オトロエン」の使用用途に合致するストーンであって、重石の底面にキャスターを装着し、上面にＬＥＤライトＢを設置し、切替え装置により色が赤色、黄色、青色に切り替わり発光する。【選択図】図２
2020130971.tif 000002
【特許請求の範囲】
【請求項１】
重石の底面にキャスターが装着され、上面にＬＥＤライトを設置し、切替え装置により色が赤色、黄色、青色に切り替わり発光・点滅することによって、認知症予防ゲーム「オトロエン・ゲーム」の使用用途の合致するストーン。
【発明の詳細な説明】
【技術分野】
【０００１】  本発明は、認知症予防ゲーム「オトロエン」用のＬＥＤライト付ストーンに関するものである。
【背景技術】
【０００２】  従来の発想では、重石にキャスターを設置した「サマーカーリング用ストーン（実開昭５９−０１６６７７）」が該当するが、また、表面の色が３色以上に変換し、点滅する必要である。
【発明の概要】
【発明が解決しようとする課題】
【０００３】  認知症予防ゲーム「オトロエン」用の駒として、上部のＬＥＤ発光色が赤・青・黄に切り替わり発光し、底部にキャスターの設置されたストーン。
【課題を解決するための手段】
【０００４】  解決しようとする問題点は、重石の底面にキャスターが装着され、上面にＬＥＤライトを設置し、切替え装置により色が赤色、黄色、青色に切り替わり発光することによって、認知症予防ゲーム「オトロエン」の使用用途の合致するストーンを主要な特徴とする。
【発明の効果】
【０００５】  本発明は、上面にＬＥＤライトを取り付けてボタンによって発光色を切り替えることができるという利点がある。
【図面の簡単な説明】
【０００６】
【図１】本発明の側面図である。
【図２】本発明の平面図である。
【図３】本発明の底面図である。
【発明を実施するための形態】
【０００７】  本発明は、キャスター付重石の上部にボタンで発光色を３色に切り替えることができることで、認知症予防ゲーム「オトロエン」のルールに準じて使用することができる。
【実施例】
【０００８】    図１は、本発明の側面図であって、（２）本体ボデーの上部に（１）の透明プラスチックカバーを設置し、その内部に（Ａ）ＬＥＤシートが内部に固定されている。また（２）本体ボデーの底部に（３）キャスター土台が４つ接合されており、（３）のキャスター土台内部に内包されたベアリングの回転によって、床を移動する。【０００９】  図２は、本発明の平面図であって、Ａおよび（１）は図１と同じである。（５）は中央フレームであって、ドーナツ状の本体に固着されており、これを把持して本発明を持ち運ぶ。（５）の中央フレームに（６）スイッチ土台が接合され、（７）のスイッチを押下することで（Ｂ）のＬＥＤライトが発光する。（７）に内臓されたＩＣ回路により、スイッチを押下する毎に、順番に赤色発光、黄色発行、青色発光、電源ＯＦＦに切り替わる。【００１０】  図３は、本発明の底面図であって、図１、図２と同じである。（２）本体底部に（３）キャスター土台が４つ接合され、（４）キャスターベアリングの回転によって本体が床上を移動する。（５）中央フレームを底面から見た図である。
【符号の説明】
【００１５】（１）透明プラスチックカバー
（２）ボデー
（３）キャスター土台
（４）キャスターベアリング
（５）中央フレーム
（６）スイッチ土台
（７）スイッチボタン
（８）ボデー底面
（Ａ）ＬＥＤシート
（Ｂ）ＬＥＤライト
【図１】
2020130971.tif 000003
【図２】
2020130971.tif 000004
【図３】
2020130971.tif 000005